(57)【要約】  ペットのための手洗浄デバイスと呼ばれる本発明は、水供給ホースに接続されるコンパクトな自己調整デバイスを指し、そのデバイスによって、任意の動物飼主は、片手でペットを濡らし、シャンプーし、すすぐことができる。本発明によるペットのための手洗浄デバイスは、シャンプー供給容器を含んでおり、水ホースに接続され得る、水回路を閉鎖、注入、及び開放するためのバルブを備えたハンドリングのためのハンドルとしても使用される接続された供給用パイプが続く、サブアセンブリＡ鋳造本体と、着脱可能な終端において閉鎖された２つの着脱可能なホース型アームからなり、通常螺進することによって本体に横方向に接続され、水及びシャンプー散布穴を巻回方向の内側上に備えた平坦な螺旋にラッピングされ、それらは、その中に導入された水の力に応じた調整可能な半楕円形状まで長さが拡張し、これは、それらの長さすべてにわたって巻回方向の内側に締結されたラッピングされたアーチ形鋼ストリップを締め付けることから生じ、これが、水回路を停止した後のアームの自動巻回を可能にする、サブアセンブリＢとからなる。
2019517282.tif 000002
【特許請求の範囲】
【請求項１】
ペットのための手洗浄デバイス（図１）であって、前記ペットのための手洗浄デバイスが、水を搬送し、導くためのサブアセンブリ（Ａ）鋳造本体であって、シャンプー供給容器を含んでおり、水回路を閉鎖、注入、及び開放するためのバルブを備えたハンドリングのためのハンドルとしても使用される、締め付け用ブライドルによって水ホースに接続される供給用パイプが続く、サブアセンブリ（Ａ）鋳造本体と、着脱可能な終端において閉鎖された２つの着脱可能なホース型アームからなるサブアセンブリ（Ｂ）であって、通常螺進することによって前記本体に横方向に接続され、水及びシャンプー散布穴を巻回方向の内側上に備えた平坦な螺旋にラッピングされ、それらは、その中に導入された前記水の力に応じてサイズが拡張し、それらの長さすべてにわたり前記巻回方向の前記内側に締結された通常はラッピングされたアーチ形鋼ストリップを用いて同時に広がることから生じる調整可能な半楕円形状を有し、これが、前記水回路を止めた後の前記アームの自動巻回を可能にする、サブアセンブリ（Ｂ）とからなる、小さいサイズの自己調整可能な自己コンパクト化デバイスであり、
前記サブアセンブリＡは、動物を洗浄するために水を受け、分散させるように働く、ポリプロピレン又は高密度ＰＶＣなどの耐性プラスチック材料或いはアルミニウムなどの軽非鉄金属材料を鋳造又は成形することによって作られた、コンパクトな本体＃１によって表され、前記本体＃１は、上部において、シャンプーがその中に導入される円筒形キャビティを形成し、前円筒形キャビティは、前記水が前記シャンプーと混合することを可能にするために下側部分に小さい穴を有し、ねじキャップ＃２がそれにおいて螺進される雄ねじを備え、後部では前記本体は、前記洗浄デバイスをハンドリングするためにも使用され、ブライドル＃４を使用して前記本体上に締め付けることによって前記水ホースに接続される、前記水回路を開放、注入、及び閉鎖するためのバルブ＃３を備えたグリップ・ハンドルの形態の延長部を有し、
前記サブアセンブリＢは、前記展開可能な終端において閉鎖された２つの着脱可能なホース型アーム＃６からなり、それらは、ゴム又は防水ファブリックなどの可撓性材料から作られ、２つの雌ねじ穴に螺進することによる前記本体における横方向接続のために雄ねじを前記上部に備え、通常は平坦な螺旋にラッピングされ、水及びシャンプー散布穴を前記巻回方向の内側部分上に備え、それらは、導入された前記水の前記力に応じてサイズが調整可能であり、通常はラッピングされ、それらの長さ全体にわたって前記内側部分中に埋め込まれたアーチ形鋼ストリップ＃５を用いた張力の下で同時に広がることによって生じる半楕円形状を有し、これが、前記水回路を閉鎖した後の前記アームの自動巻回を可能にする、
ことを特徴とする、ペットのための手洗浄デバイス。
【発明の詳細な説明】
【技術分野】
【０００１】
ペットのための手洗浄（ｈａｎｄ  ｗａｓｈｉｎｇ）デバイスと呼ばれる本発明は、水供給ホースに接続される自己調整及び自己コンパクト化（ｓｅｌｆ−ｃｏｍｐａｃｔｉｎｇ）デバイスを指し、そのデバイスによって、動物飼主は、片手でペットを濡らし、シャンプーし、すすぐことができる。
【背景技術】
【０００２】
本発明の使用の技術分野は、家庭である。これまで、ペット飼主は、ペット動物の洗浄プロセスを行うための様々な方法を使用しており、ほとんどの場合、そのプロセスは困難であり、動物を動かないようにすることの困難から、飼主だけでなく動物の不快感に至るまで、様々な問題に遭遇している。
【０００３】
ペットを洗浄するためのデバイスに関する米国特許第７１８２０４３（Ｂ１）号を含むいくつかの文献も知られているが、説明されたデバイスの噴霧器表面は、一方では、動物のすべての部分に同時に散布することを可能にするとは限らず、したがって、洗浄時間を拡張し、動物のいらいら感を増加させ、他方では、それはシャンプーでの代替の噴霧を可能にしない。文献米国特許出願公開第２００４０１７３１６３（Ａ１）号も、動物をシャンプーする可能性を提示するデバイスについて説明するが、動物のいくつかの部分を同時にカバーしない。文献米国特許出願公開第２０１６００１５０００（Ａ１）号は、動物のいくつかの部分に対して同時に水をかけることとシャンプーすることの両方を可能にするデバイスについて説明するが、このデバイスは、保管するのが困難であり、アームを十分に利用する可能性を有さず、水及びシャンプー・スプラシュ・モードを選択するための機構も、体積が大きく、それをハンドリング及び保管する際に困難をもたらす。結論として、市場に最近出現している様々な革新的デバイスは、デバイスのハンドリング能力及び保管能力とともに、動物に噴霧し、シャンプーし、すすぐことに関して、動物飼主を十分に満足させることができない。
【０００４】
現在の方法の欠点は、以下の通りである。
−  デバイス構成において使用される機構が、複雑であり、不安定で不完全であり、電子機械部品と入れ替えることが難しく、製造の価格が明らかに増大している。
−  既存のデバイスは、信頼できず、機械部品、又は時間とともにさび、腐食性であり、十分に耐性がないことがある部品を有する。
−  電力への、又は高い水圧を発現させるパイプへの接続を必要とする。
−  デバイスは設置及び使用するのが難しい。
−  デバイスは、保管するのが困難であり、大きいアームを有し、それらを全体的に折り畳む又は広げるという可能性がない。
−  デバイスは清浄にするのが難しい。
−  デバイスは、大きな重量を有し、ハンドリングするのが難しい。
−  デバイスは、任意のサイズ又は種類の任意のペット動物を洗浄するために使用され得ず、サイズを調整することは、困難な選択肢である。
−  デバイスは、自己調整可能でなく、自己コンパクト化でない。
【０００５】
本発明の存在は、上述の欠点を除去する。
【先行技術文献】
【特許文献】
【０００６】
【特許文献１】米国特許第７１８２０４３（Ｂ１）号
【特許文献２】米国特許出願公開第２００４０１７３１６３（Ａ１）号
【特許文献３】米国特許出願公開第２０１６００１５０００（Ａ１）号
【発明の概要】
【発明が解決しようとする課題】
【０００７】
ペットのための手洗浄デバイス発明によって解決される技術的問題は、一方の手で使用され得る、取外し可能な、展開可能な、自動調整するアームをもつコンパクトな、保管しやすいデバイスを、水のホースに接続することによって、動物を洗浄するプロセスを行うことである。
【課題を解決するための手段】
【０００８】
原則として、本発明による、ペットのための手洗浄デバイスは、ラッパー・カバーでカバーされたシャンプー供給容器を含んでいる、分配用ブレード（ｄｉｓｐｅｎｓｉｎｇ  ｂｌａｄｅ）に水を搬送し、導くための鋳造本体からなる小さいデバイスであり、水回路のための閉鎖／注入（ｄｏｓｉｎｇ）及び開放用バルブを備えたハンドリングのためのハンドルとしても使用される、水ホースに接続された供給器パイプが続く。２つのねじ穴に螺進する（ｓｃｒｅｗ）ことによって本体に横方向に接続され、通常は平坦な螺旋に埋め込まれ、ラッピング方向の内側上に水及びシャンプー散布穴を備えた２つの着脱可能なアームは、調整可能な半楕円形の形態で、導入された水の力に応じて寸法決定され、巻回方向の内側に固定されたそれの全体の長さのエンボス加工された鋼ばね上の締結（ｆａｓｔｅｎｉｎｇ）を生じ、これが、水回路を閉鎖した後のアームの自動巻回（ａｕｔｏｍａｔｉｃ  ｗｉｎｄｉｎｇ）を可能にする。
【０００９】
ペットのための手洗浄デバイスは、任意のペットを清浄にするために使用され得、任意のペット飼主によって使用され得る。本発明は、主要な店、ペットショップ、オンライン販売ウェブサイトにおける販売、又はペット飼主、若しくはこのタイプのサービスを提供する会社への直接的な販売のために多数のデバイスを製造することによって、工業的に適用され得る。
【００１０】
本発明の利点は、以下からなる。
−  本デバイスは、機械部品又はさびることがある部品をもたず、耐久性があり、信頼性が高く、プラスチック、ゴム、又はこのタイプの、非腐食性であり、耐性がある他の材料から作られ得る。
−  電力に、又は高い水圧を生じるパイプに接続される必要がない。
−  本デバイスは、年齢にかかわらず、任意の人による設置及び使用が容易である。
−  本デバイスは、着脱可能及び展開可能なアームをもち、保管が容易である。
−  本デバイスを清浄にするのが容易である。
−  本デバイスは、軽量であり、ハンドリングが容易であり、危険でない。
−  本デバイスは、任意のサイズ又は種類の任意のペット動物を洗浄するために使用され得、導入される水の流れを調整することによってサイズを調整する。
−  本デバイスは、低減された数のサブアセンブリ及び製造部品による、極めて低い製造費を有する。
−  本デバイスは、使用中に自己調整可能であり且つ使用後に自己コンパクト化である。
【００１１】
「ペットのための手洗浄デバイス」と呼ばれる本発明を製造する実例が、以下に表す図１〜図６を参照して、以下で説明される。
【図面の簡単な説明】
【００１２】
【図１】ａ）はサブアセンブリＡの正面図であり、ｂ）は図１のａ）に示された、面Ａ−Ａに従う断面である。
【図２】ａ）はサブアセンブリＡの側面図であり、ｂ）は図２のａ）に示された、面Ｂ−Ｂに従う断面である。
【図３】ａ）はアームによって形成された巻回アーチの上面図であり、ｂ）は動物に噴霧するための穴を配置することとともに、拡張された位置にある展開可能なアームの斜視図であり、ｃ）は「通常の展開されていない」位置にある展開可能なアームの透視図である。
【図４】ａ）はサブアセンブリＡ及びＢの斜視図であり、ｂ）はサブアセンブリＡへのサブアセンブリＢの接続の斜視図である。
【図５】「通常の展開されていない」位置にあるサブアセンブリＡ及びサブアセンブリＢの正面図である。
【図６】「部分的に展開された」動作位置にあるサブアセンブリＡ及びサブアセンブリＢの斜視図である。
【図７】「最大に展開された」動作位置にあるサブアセンブリＡ及びサブアセンブリＢの斜視図である。
【図８】ａ）は「通常の展開されていない」位置にあるサブアセンブリＡ及びサブアセンブリＢの斜視図であり、ｂ）は「部分的に展開された」動作位置にあるサブアセンブリＡ及びサブアセンブリＢの斜視図であり、ｃ）は「最大に展開された」動作位置にあるサブアセンブリＡ及びサブアセンブリＢの斜視図である。
【発明を実施するための形態】
【００１３】
前述のペットのための手洗浄デバイスは、年齢及び動物洗浄の分野における資格にかかわらず、任意の人によって操作され得、以下のメイン・サブアセンブリからなる。
【００１４】
１．−サブアセンブリＡ−動物を洗浄するための水を受け、分散させるように働く、ポリプロピレン又は高密度ＰＶＣなどの高密度プラスチック材料或いはアルミニウムなどの軽非鉄金属材料を鋳造又は成形することによって作られた、コンパクトな本体によって表される。上部において、本体は、シャンプーがその中に導入される円筒形キャビティを形成し、円筒形キャビティは、水がシャンプーと混合することを可能にするために下側部分に小さい穴を有し、絶縁性キャップでカバーされており、後方において本体は、ワッシャをハンドリングするために及び水ホースに接続するために使用される、水回路を開放、注入、及び閉鎖するためのバルブを備えたグリップ・ハンドルの形態の延長部を示す。
【００１５】
２．−サブアセンブリＢ−展開可能な終端において閉鎖された２つの着脱可能なホース型アームによって表され、それらは、ゴム又は防水ファブリックなどの可撓性材料から作られ、螺進することによって本体に横方向に接続され、通常は平坦な螺旋にラッピングされ、水噴霧及びシャンプー穴を巻回方向の内側上に備え、それらは、それらの中に導入された水の力に応じて調整可能であり、それらの全体の長さにわたって内側部分中に埋め込まれたアーチ形鋼ストリップを用いた張力の下で同時に広がることから生じる、半楕円形状を有し、これが、水回路を閉鎖した後のアームの自動巻回を可能にする。
【００１６】
サブアセンブリＡ−メイン・デバイス−（図１）動物を洗浄するための水を受け、分散させるように働く、ポリプロピレン又は高密度ＰＶＣなどの耐性プラスチック材料或いはアルミニウムなどの軽非鉄金属材料を鋳造又は成形することによって作られた、コンパクトな本体＃１によって表される。上部において、本体は、シャンプーがその中に導入される円筒形キャビティを形成し、円筒形キャビティは、水がシャンプーと混合することを可能にするために下側部分に小さい穴を有し、ねじキャップ＃２がそれにおいて螺進される雄ねじを備え、後部において本体は、洗浄デバイスをハンドリングするためにも使用され、ブライドル＃４を使用して本体上に締め付けることによって水ホースに接続される、水回路を開放、注入、及び閉鎖するためのバルブ＃３を備えたグリップ・ハンドルの形態の延長部を有する。
【００１７】
サブアセンブリＢ−展開可能な終端において閉鎖された２つの着脱可能なホース型アーム＃６からなり、２つの雌ねじ穴に螺進することによる本体への横方向接続のための雄ねじを上部に備え、通常は平坦な螺旋にラッピングされ、水及びシャンプー散布穴を巻回方向の内側部分上に備え、アームは、導入された水の力に応じてサイズが調整可能であり、通常はラッピングされ、それらの全体の長さにわたって内側部分中に埋め込まれたアーチ形鋼ストリップ＃５を用いた張力の下で同時に広がることによって生じる、半楕円形状を有し、これが、水回路を閉鎖した後のアームの自動巻回を可能にする。
【００１８】
図面において参照された部品の名をもつアイテムのリスト
位置１−デバイスの本体。
位置２−シャンプーのためのキャビティの螺進可能でないキャップ。
位置３−水流を開放／注入／閉鎖するためのバルブ。
位置４−水供給ホースを本体に締め付けるためのホース・ブライドル。
位置５−着脱可能なアームの巻回のためのアーチ。
位置６−着脱可能な、展開可能なアーム。
【図１】
2019517282.tif 000003
【図２】
2019517282.tif 000004
【図３】
2019517282.tif 000005
【図４】
2019517282.tif 000006
【図５】
2019517282.tif 000007
【図６】
2019517282.tif 000008
【図７】
2019517282.tif 000009
【図８】
2019517282.tif 000010
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
片手でペットを洗浄するためのデバイスであって、
サブアセンブリ（Ａ）であって、
ａ）水ホースに接続された供給用パイプ（１ａ）であって、ハンドルとしても用いられ、水の供給を閉鎖、注入、及び開放するためのバルブ（３）を備えた前記供給用パイプ（１ａ）と、
ｂ）前記供給用パイプ（１ａ）に流体連通している本体（１）であって、前記本体（１）に設けられた２つの横方向の穴（１ｂ、１ｃ）を介して水を搬送し、導くための前記本体（１）と、
ｃ）シャンプー供給容器（１ｄ）であって、前記本体（１）にシャンプーを導入可能とする前記シャンプー供給容器（１ｄ）とを備え、
前記サブサブアセンブリ（Ａ）の前記本体（１）は、コンパクト化された本体（１）であり、前記供給用パイプ（１ａ）及び前記シャンプー供給容器（１ｄ）を伴う１つの鋳造されたユニットを形成する、
前記サブサブアセンブリ（Ａ）と、
サブアセンブリ（Ｂ）であって、前記本体（１）に前記２つの横方向の穴（１ｂ、１ｃ）を介して流体連通している展開可能な終端（６ａ、６ｂ）において閉鎖された２つの着脱可能なホース型アーム（６）であって、巻回方向の内側に提供された平坦な螺旋にラッピングされ、前記本体（１）を介してそれらの中に導入される前記水の力に応じてサイズが拡張し、通常は着脱可能なホース型アーム（６）の長さの全体に亘ってラッピングされ巻回方向の内側に締結されているアーチ形鋼ストリップ（５）を同時に展開した結果として生じる調整可能な半楕円形を有する前記着脱可能なホース型アーム（６）から成り、前記アーチ形鋼ストリップ（５）は前記水の供給を閉鎖した後に前記着脱可能なホース型アーム（６）の自己巻回を可能にし、前記着脱可能なホース型アーム（６）は、内側に水及びシャンプーの散布穴（７）を備える、前記サブサブアセンブリ（Ｂ）と、
を備える、前記デバイス。
【請求項２】
前記本体（１）は、ポリプロピレン又は高密度ＰＶＣなどの高密度プラスチック材料或いはアルミニウムなどの軽非鉄金属材料を鋳造することによって作られる、請求項１に記載の片手でペットを洗浄するためのデバイス。
【請求項３】
前記着脱可能なホース型アーム（６）は、ゴム又は防水ファブリックなどの可撓性材料から作られる、請求項１又は２に記載の片手でペットを洗浄するためのデバイス。
【請求項４】
前記着脱可能なホース型アーム（６）は、前記本体（１）に接続するための手段を上端（６ｃ、６ｄ）に備えた、請求項１〜３のいずれか一項に記載の片手でペットを洗浄するためのデバイス。
【請求項５】
前記着脱可能なホース型アーム（６）の前記上端（６ｃ、６ｄ）は、前記本体（１）の横方向の穴（１ｂ、１ｃ）に雄ねじ及び雌ねじを介して接続される、請求項６に記載の片手でペットを洗浄するためのデバイス。
【請求項６】
前記シャンプー供給容器（１ｄ）は、キャップ（２）を有する、請求項１〜５のいずれか一項に記載の片手でペットを洗浄するためのデバイス。
【請求項７】
前記シャンプー供給容器（１ｄ）は、円筒形を有する、請求項６に記載の片手でペットを洗浄するためのデバイス。
【請求項８】
前記シャンプー供給容器（１ｄ）は、上部に雄ねじを有し、前記キャップ（２）に雌ねじを介して結合される、請求項７に記載の片手でペットを洗浄するためのデバイス。
【請求項９】
前記供給用パイプ（１ａ）は、締め付け用ブライドル（４）の手段によって水ホースに接続される、請求項１〜８のいずれか一項に記載の片手でペットを洗浄するためのデバイス。
【請求項１０】
前記コンパクトな鋳造本体（１）は成形された形状、好ましくは両凹の成形された形状を有し、前記横方向の穴（１ｂ、１ｃ）の中心を通る長軸に垂直な垂直面に対して対称に並べられ、前記横方向の穴（１ｂ、１ｃ）は好ましくは円形の横方向の穴（１ｂ、１ｃ）である、請求項１〜９のいずれか一項に記載の片手でペットを洗浄するためのデバイス。
【請求項１１】
前記アーチ形鋼ストリップ（５）はポリカーブであり、好ましくは少なくとも２つのカーブした互いに結合したセグメントを備える、請求項１〜１０のいずれか一項に記載の片手でペットを洗浄するためのデバイス。
【国際調査報告】
2019517282.tif 000011
2019517282.tif 000012